(57)【要約】【課題】  場所をとらずに複数種の収容物を分別して収容することが可能な技術を提供する。【解決手段】  廃棄物を収容する袋状の収容部の開口端部を固定する矩形環状の枠体を、前記枠体に一体となったアジャスタによって支柱に片持ち式に固定し、前記支柱には、複数の枠体が支柱に沿って上下に多段式に取り付けられている。【選択図】        図１
2008001486.tif 000002
【特許請求の範囲】
【請求項１】
廃棄物を収容する袋状の収容部の開口端部を固定する矩形環状の枠体を、前記枠体に一体となったアジャスタによって支柱に片持ち式に固定し、前記支柱には、複数の枠体が支柱に沿って上下に多段式に取り付けられていることを特徴とする多段式廃棄物収容容器。
【請求項２】
前記枠体が取り付けられた支柱の下端は底部枠体に固定され、底部枠体と直上の枠体との夫々の前部を前板によって接続していることを特徴とする請求項１に記載の多段式廃棄物収容容器。
【請求項３】
前記アジャスタを枠体とは別体に成形し、組み立て時にアジャスタを枠体に取り付けることを特徴とする請求項１又は請求項２に記載の多段式廃棄物収容容器。
【請求項４】
前記収容部或いは枠体の少なくとも何れかが樹脂製であることを特徴とする請求項１乃至請求項３の何れか一項に記載の多段式廃棄物収容容器。
【発明の詳細な説明】
【技術分野】
【０００１】
本発明は、主に多段式の廃棄物収容容器に関し、特に、樹脂等を用いた袋状の収容部を有する廃棄物収容容器に適用して有効な技術に関するものである。
【背景技術】
【０００２】
現在、一般家庭或いは事業所等で生じた廃棄物は、再利用によって資源を有効活用し、併せて処理する廃棄物の減量を図るために、その種類によって分別し、例えば焼却処分をする可燃物と焼却に適さず埋め立て等の処理を行なう不燃物とに分けて、種類によって定められた日に収集されている。
【０００３】
その収集では、廃棄物を樹脂製の袋に収容して指定された収集所に出されたものを、地方自治体の収集車が巡回して収集を行なっている。用いられる樹脂製の袋としては、ごみ袋と呼称されている地方自治体の推奨する樹脂製の収集袋が用いられており、他に、販売した商品を収納するために商店等が配付している、レジ袋と呼称されている樹脂製の袋が用いられる場合もある。
【０００４】
このため、家庭では一端ごみ箱等の容器に収容した廃棄物を、収集のための袋に移し変える必要がある。そこで、こうした移し変えの手間を省くために、容器に収集のための袋を取り付けることが考えられている。
【０００５】
例えば、下記特許文献１には合成樹脂フィルム製のごみ袋を保持する装置が記載されており、この装置を用いてごみ袋に直接ごみを入れることが提案されているが、収容したごみの重さで袋が容器の底に落下する、袋の端部が倒れこんで開口を保てない等の問題が生じ、その結果として、袋と容器との間にごみが溜まり衛生上の或いは美観上の問題となることがある。こうした問題を回避するために、出願人は、簡単な操作で、袋の端部を容器にしっかりと固定することが可能な技術を特願２００５−３１８９７４号として出願している。
【０００６】
【特許文献１】特開平１１−１２４２０２号公報
【発明の開示】
【発明が解決しようとする課題】
【０００７】
従来、廃棄物の分別は、焼却処分をする可燃物と焼却に適さず埋め立て等の処理を行なう不燃物とに、分けられていたが、近年、再利用の観点から、材料の違いによって不燃物を例えば金属、ガラス、樹脂等にさらに区分して、可燃物から例えば紙類、布、樹脂等にさらに区分して、収集する場合があり、地方自治体によって対応は異なるが、分別の種類を増加させる傾向にある。このような分別に合わせて、複数の容器を用意する場合には、場所の問題等が重要な解決課題となる。
【０００８】
本発明の課題は、これらの問題点を解決し、場所をとらずに複数種の収容物を分別して収容することが可能な技術を提供することにある。本発明の前記ならびにその他の課題と新規な特徴は、本明細書の記述及び添付図面によって明らかになるであろう。
【課題を解決するための手段】
【０００９】
本願において開示される発明のうち、代表的なものの概要を簡単に説明すれば、下記のとおりである。
廃棄物を収容する袋状の収容部の開口端部を固定する矩形環状の枠体を、前記枠体に一体となったアジャスタによって支柱に片持ち式に固定し、前記支柱には、複数の枠体が支柱に沿って上下に多段式に取り付けられている。
【発明の効果】
【００１０】
本願において開示される発明のうち代表的なものによって得られる効果を簡単に説明すれば、下記のとおりである。
（１）本発明によれば、複数の枠体が支柱に沿って上下に多段式に取り付けられていることで、設置する場所をとらず複数種類の廃棄物の分別収容が可能になるという効果がある。
（２）本発明によれば、支柱に枠体を片持ち支持することで、容器の前面が開放され、収容部への廃棄物の投入が容易となり、廃棄物を収容した収容部を取り外す際にも、容器の前面或いは側面から、容易に取り出すことが可能になるという効果がある。
（３）枠体は支柱に沿って移動が可能であることから、適宜の高さで枠体を固定し最適な間隔で配置することが可能になるという効果がある。
（４）本発明によれば、支柱に枠体を片持ち支持しているので、容器の前面及び側面が開放されているため、廃棄物を収容した収容部を取り外す場合に、収容部の端部の係止状態を解除して、そのまま水平方向に収容部を取り出すことが可能となるという効果がある。
【発明を実施するための最良の形態】
【００１１】
以下、本発明の実施の形態を説明する。なお、実施の形態を説明するための全図において、同一機能を有するものは同一符号を付け、その繰り返しの説明は省略する。
【００１２】
図１は、本発明の一実施の形態である廃棄物収容容器を示す側面図であり、図２は、収容容器に用いられる枠体を示す平面図であり、図３は枠体の取り付け状態を拡大して示す部分側面図である。なお、図３中では説明のために、袋状の収容部１の開口端部は、右半分のみを破線にて図示し、その露出部分には斜線を付した。
本実施の形態の収容容器は、廃棄物を収容する袋状の収容部１の開口端部を、樹脂を用いた矩形環状の枠体２に取り付けられた係止部３，４によって固定されており、この枠体２をアジャスタ５によって支柱６に片持ち式に固定している。支柱６には、複数の枠体２が支柱６に沿って上下に多段式に取り付けられている。このように多段式に複数の収容部１を配置することで、設置する場所をとらず複数種類の廃棄物の分別収容が可能になる。
【００１３】
本実施の形態に用いられている収容部１は樹脂製のレジ袋であり、その開口端部には運搬時に取手とするための環状端部１ａと、互いに結び合わせて収容物の転落を防止するための短冊状端部１ｂが、夫々２箇所に対向させて設けられている。
【００１４】
こうした開口端部に対応して、枠体２の係止部３，４としては、環状端部１ａを引っ掛けて係止する固定式の係止部３と、短冊状端部１ｂを係止する可動式の係止部４が、夫々２箇所に対向させて設けてある。
【００１５】
枠体２は、内壁２ａと外壁２ｂとを上辺２ｃで一体化した構造となっており、固定式の係止部３は、外壁２ｂから下方に向かって部分的に延在し、環状端部１ａを引っ掛ける構成となっている。
【００１６】
図４乃至図９は、可動式の係止部４を拡大して示す図であり、係止を解いた状態の側面図を図４に、その断面図を図５に夫々示し、係止前の状態の側面図を図６に、その断面図を図７に夫々示し、係止した状態の側面図を８図に、その断面図を図９に夫々示してある。
【００１７】
可動式の係止部４は、内壁２ａと外壁２ｂとの間の間隙に取り付けられており、固定ピン７によって枠体２に取り付けられるスライダ８と、短冊状端部１ｂに接触しこれを係止するストッパ９とが連結部１０を介して接続されている。また、側面図ではスライダ８を明示するために、外壁２ｂは、その部分を適宜に切り欠いて示してある。
【００１８】
スライダ８には長円形の溝が設けられ、この溝に固定ピン７の軸が嵌合しており、スライダ８は固定ピン７の軸に対しての回動と、固定ピン７の軸に対しての摺動が可能であり、内壁２ａ及び外壁２ｂに沿って方向及び位置を変えることができる。
【００１９】
スライダ８の端部に設けた軸８ａには、連結部１０の一端に設けた孔が嵌合しており、連結部１０の他端に設けた孔にはストッパ９の下よりの端部から側方に設けた軸９ａが嵌合しており、ストッパ９端部の軸９ａとスライダ８端部の軸８ａは直交しており、ストッパ９は端部の軸９ａを中心として回動して方向を変え、内壁２ａ及び外壁２ｂに沿った形態と内壁２ａ及び外壁２ｂに垂直な形態とをとることができる。
【００２０】
図４及び図５に示す係止を解いた状態では、スライダ８の溝のストッパ９から離れた位置に固定ピン７の軸があり、いわばスライダ８が伸びた状態となりストッパ９は内壁２ａと外壁２ｂとの間の間隙から外された状態で、内壁２ａの下端とストッパ９の上端とが離れた状態となっている。
【００２１】
図６及び図７に示す係止前の状態では、ストッパ９を軸９ａに対して回動させて、ストッパ９の上端が手前に開く形態として、収容部１の短冊状端部１ｂをストッパ９と内壁２ａとの間に挟み込むのを容易にする。
【００２２】
この状態で、枠体２の内側に収容部１を入れて内壁２ａに沿って収容部１を開口させ、収容部１の開口端部を枠体２の外壁２ｂ外面に折り重ね、収容部１の短冊状端部１ｂをストッパ９と内壁２ａとの間に挟み込んだ後に、ストッパ９を図４及び図５に示した位置に戻す。この状態から、ストッパ９を押し上げて図８及び図９に示す短冊状端部１ｂをストッパ９によって係止した状態とする。
【００２３】
係止した状態ではスライダ８の溝のストッパ９に近い位置に固定ピン７の軸があり、いわばスライダ８が縮んだ状態となる。固定ピン７の間隔は、係止部４の寸法即ちストッパ９及び連結部１０の幅とスライダ８の溝の形状を基にして、力のかからない状態で必要となる幅よりも、少し狭めてある。
【００２４】
このため、固定ピン７に拘束されることで、係止の状態では係止部４の弾性によって係止部４に幅を縮小する方向の弾性応力が生じることになる。図８に示すように、この状態ではスライダ８はストッパ９側を上に向かせているため、前記弾性応力によって係止部４には上向きの力が与えられることによる。
【００２５】
図１０に、係止状態の固定部５と袋状の収容部１との関係を示す部分拡大縦断面図を示す。この図では、説明のために収容部１の膜厚を誇張して示してある。
【００２６】
ストッパ９にはテーパがついており、このストッパ９の形状に合わせて枠体２の内壁２ａ及び外壁２ｂの形状が決められている。このため、枠体２の内壁２ａと外壁２ｂとの間にストッパ９が楔状に嵌合し、前述した上向きの力が働くことによって、ストッパ９は、図１０中の左右方向に働く弾性力によって、内壁２ａ及び外壁２ｂに圧接されることになる。
【００２７】
このため、ストッパ９と内壁２ａ或いは外壁２ｂに挟まれた短冊状部分１ｂはストッパ９と内壁２ａあるいは外壁２ｂとによって押さえつけられることになり、収容物の重さによって短冊状部分１ｂに力が加えられても、ずれることがない。また、ストッパ９は中空とすることで図１０中の左右方向に働く弾性力を増加させてある。
【００２８】
さらに、ストッパ９の背面には部分的に突起となる段差９ｂが設けてあり、この段差９ｂが短冊状部分１ｂに食い込むためにこの部分の摩擦力が最大となっている。このため、収容物の重さによって短冊状端部１ｂに力が加えられて、短冊状端部１ｂとストッパ９の背面に接する部分とがずれかけた場合には、この部分に上向きの力が加わることになる。
【００２９】
この力は他の部分よりも摩擦力が強いストッパ９の背面に上向きの力を与えることになる。ストッパ９に作用した上向きの力によって、ストッパ９と枠体２との圧接力を増加させることになり、力の増加に対して圧接力を増加させることで、短冊状部分１ｂの移動を防止することができる。
【００３０】
このため、ストッパ９に短冊状端部１ｂを挟んで押し込むだけの簡単な動作で、収容部１の端部を確実に固定することが可能になる。また、収容部１を取り外す際も、ストッパ９を押し下げるだけの簡単な動作で、収容部１の端部の係止状態を解除することが可能である。
【００３１】
枠体２が取り付けられた支柱６の下端は底部枠体１１に固定され、支柱６の上端には、キャップ１２を取り付けてある。底部枠体１１は収容物から水分が漏れ出す場合或いは微細なごみがこぼれる場合等に周囲が汚されるのを防止するためにトレイ状となっており、底部枠体１１の下面には、容器の移動を容易にするためのキャスタ１３が取り付けられている。なお、支柱６は適宜の長さに切断することにより、その長さを調整して最適な状態とすることが容易に可能となる。
【００３２】
本実施の形態では、支柱６に枠体２を片持ち支持することで、容器の前面が開放され、収容部１への廃棄物の投入が容易となり、廃棄物を収容した収容部１を取り外す際にも、容器の前面或いは側面から、容易に取り出すことが可能になるという利点がある。
【００３３】
枠体２の背面に近い隅には孔が設けられており、この孔に支柱６を貫通させて、アジャスタ５を締め付けて、枠体２を支柱６に固定している。枠体２は支柱６に沿って移動が可能であり、適宜の高さで枠体２を固定し最適な間隔で配置することができる。
【００３４】
支柱６は、円筒状に成形した金属のパイプに樹脂の被覆が施されている。枠体２が片持ち支持となっているので、枠体２の自重によって枠体２はアジャスタ５の端部が支柱６に接触しこの接触部分の抵抗によって、枠体２が支柱６に係止され、ある程度の荷重は支えることができる。従って枠体２の取り付け部近傍を持って支柱６に沿って上下に移動させ、適宜の位置で手を離しても枠体２が落下することがないので、この状態でアジャスタ５を締めて枠体２を支柱６に固定する。
【００３５】
また、家庭内で生じる廃棄物の場合には、水分を含んだ生ごみ等を除けば、容積に比較して重量の軽いものが多いので、収容物の重量が小さい場合にはアジャスタ５を締めない状態で使用することも可能である。
【００３６】
また、廃棄物を収容した収容部１を取り外す場合に、上段の収容部１が邪魔になることに加えて、樹脂製の袋を用いた収容部１は廃棄物を入れることで変形するので、枠体２から上方に取り出すことが容易ではない。更に、本実施の形態では、柱の脇や流しの脇等の狭い場所に設置する場合を想定して、収容容器の幅に対して奥行きが大きな構成としているため、より取り出しが困難になることが考えられる。
【００３７】
そのような場合に、本実施の形態では、キャスタ１３によって容易に全体を引き出すことが可能であり、引き出した状態では、支柱６に枠体２を片持ち支持しているので、容器の前面及び側面が開放されているため、収容部１の端部の係止状態を解除して、そのまま水平方向に収容部１を容易に取り出すことが可能となる。この際に、枠体２の上下への移動が簡単であることを利用して、場合によっては、枠体２を上下に移動させることで、更に取り出しを容易にする利便性もある。
【００３８】
なお、収容部１を取り付ける場合に、最上段の枠体２の場合を除く中間の段の枠体２に対する取り付けでは、上に位置する枠体２の収容部１が障害となることがある。このような場合にも、収容部１を取り付ける枠体２或いは上に位置する枠体２を移動させることで、収容部１の取り付けに要する空間を確保して、容易に取り付けを行うことができる。
【００３９】
また、前述の説明では比較的サイズの大きなレジ袋を収容部１として、レジ袋の環状端部１ａを固定式の係止部３に引っ掛けて係止し、短冊状端部１ｂを可動式の係止部４に係止しているが、廃棄物の種類によってはより小さなサイズの収容部が適している場合もある。こうした場合にも本実施の形態の収容容器は適応が可能である。
【００４０】
例えば、最近の分別の例では飲料物の容器となっている樹脂製のボトルについて、再利用を考慮して材料が違う本体とキャップ或いはラベル等とを別にすることが求められている。本実施の形態の収容容器では、容積の大きな前記本体を収容する収容部１として比較的サイズの大きなレジ袋を、レジ袋の環状端部１ａを固定式の係止部３に引っ掛けて係止し、このサイズの大きなレジ袋の内側に前記キャップ等を収容する収容部１としてサイズの小さなレジ袋を、レジ袋の環状端部１ａを可動式の係止部４に係止することで、一つの段の枠体２に容量の異なる２種類の収容部１を取り付けて、分別を行うことが可能である。
【００４１】
こうした場合には、サイズの大きな収容部１となるレジ袋の環状端部１ａを固定式の係止部３に引っ掛けた後に、サイズの大きな収容部１の内側にサイズの小さな収容部１を入れる。この状態で、可動式の係止部４について図６及び図７に示す状態から、サイズの小さな収容部１を開口させ、その環状端部１ａをストッパ９の両端に引っ掛けた後に、更にストッパ９を図７に示す状態から下方向に回転させて、図１１に示すようにストッパ９を図８及び図９に示す状態とは上下を逆にする。
【００４２】
この状態から、ストッパ９を押し上げて図１２及び図１３に示すようにストッパ９を枠体２の内壁２ａと外壁２ｂとの間の間隙に部分的にはめ込んで、ストッパ９を係止した状態とする。
【００４３】
前述した状態では、ストッパ９のほぼ全体が枠体２の間隙にはめ込まれていたが、図１２及び図１３に示す状態では、ストッパ９の大部分が内壁２ａから露出しており、枠体２の短辺方向に小さなレジ袋を収容部１として取り付け、ストッパ９の幅に開口させることができる。この状態で収容部１の環状端部１ａがストッパ９から外れるのを防止するためにし、図１１乃至図１３に示す例ではストッパ９の両端に環状端部１ａための小さな円柱状の突起９ｃが一体に形成されている。
【００４４】
前述したように、枠体２を上下に移動させる際に、支柱６が変形すると円滑な枠体２の移動が難しくなる。支柱６の変形としては各枠体２が個別に水平面にて移動し、支柱６が支柱６に対して垂直となる水平面にて捻じれることが考えられる。このような変形を防止するために、本実施の形態では底部枠体１１と直上の枠体２との夫々の前部を前板１４によって接続している。
【００４５】
この前板１４は、底部枠体１１と直上の枠体２の溝に嵌合し、底部枠体２に対して直上の枠体２が水平方向に移動するのを規制している。前板１４は枠体２の角部に合わせて端部を側面に一部回りこませることで、充分な強度をもたせることができる。この前板１４によって底部枠体１１と直上の枠体２とを一体化し個別に水平面にて移動することを抑制することから、それぞれの支柱６が水平面にて捻じれる変形を防止することができる。
【００４６】
支柱６から取り外した状態で、枠体２からアジャスタ５が突出していると、組み立て前の梱包状態の容積が嵩んでしまう。このため、本実施の形態の収容容器では、突出するアジャスタ５を枠体２とは別体に成形し、組み立て前は取り外した状態で保管或いは運搬等の取り扱いを行ない、組み立て時にアジャスタ５を枠体２に取り付ける構成としてある。
【００４７】
図１４は、アジャスタ５を拡大して示す断面図であり、図１５は、枠体２の取り付け部分を拡大して示す部分平面図である。
【００４８】
アジャスタ５は樹脂を用いており、枠体２に固定される円筒状の内筒１５と、この内筒１５と嵌合する円筒状の外筒１６とからなっている。内筒１５は支柱を貫通させるための円筒部１５ａの下に枠体に固定するための爪１５ｂが４本形成されており、円筒部１５ａの上にはオネジ１５ｃが形成されており、さらにその上には円筒を周方向に４分割した分割筒部１５ｄが形成され、図中の上方向に径が縮小するテーパがかけられている。
【００４９】
外筒１６はその下部に内筒１５のオネジ１５ｃと嵌合するメネジ１６ａが形成されており、メネジ１６ａの上は図中の内筒１５と同様に上方向に径が縮小するテーパ１６ｂが形成されている。分割筒部１５ｄは、樹脂の弾性により容易に変形して、その径を変化させるので、外筒１６のメネジ１６ａと内筒１５のオネジ１５ｃとを噛み合わせて外筒１６を回転させると、外筒１６と内筒１５とに形成されたテーパによって内筒１５の分割筒部１５ｄが締め付けられて変形しその径が小さくなる。
【００５０】
枠体２には、図１５に示すように、支柱６が貫通する孔を有する円筒状の内環部２ｄを放射状に設けたリブ２ｅによって枠体２に一体化し、内環部２ｄの外壁面と枠体の孔２ｆの内壁面とリブ２ｅとによって、内環部２ｄの周囲に８分割となった環状の溝２ｇが形成され、この溝２ｇに内筒１５の爪１５ｂをはめ込んで、内筒１５を枠体２に固定する。
【００５１】
図１６は、アジャスタ５を枠体２に取り付けた状態を示す部分縦断面図である。枠体２には上下にアジャスタ５が取り付けられており、上方のアジャスタ５は取り付けが終了した状態を示し、下方のアジャスタ５は取り付け途中の状態を示している。夫々のアジャスタ５の４本の爪が枠体２に８つ設けられた溝２ｇの内の４つの溝２ｇに嵌合して、枠体２に対して内筒１５が回転するのを防止している。
【００５２】
爪１５ｂには返しが付けられており、この返しが溝の中央に設けられた環状の突起２ｈに噛み合うことで内筒１５が枠体２から抜けにくくなっている。このため、内筒１５を枠体２に差し込むだけで、アジャスタ５は工具を使わなくても容易に枠体２に取り付けることが可能である。
【００５３】
支柱６をアジャスタ５の内筒１５に貫通させた状態で、外筒１６を回転させると、内筒１５の分割筒部１５ｄが締め付けられて支柱６に圧接し、アジャスタ５が支柱６に堅固に固定することができる。なお、図中では枠体２の上下にアジャスタ５を取り付けているが、いずれか一方のみでも枠体２を固定することは可能である。必要となる固定強度によって、適宜の構成とすればよい。
【００５４】
ここで、内筒１５には外周にオネジ１５ｃを形成するため、通常の成形では金型を中心軸に沿って分割して成形を行なうことになる。このような成形では、内筒１５の円筒部１５ａに分割された金型の合わせ目にパーティングラインと呼ばれる線状の突起が形成されてしまう。
【００５５】
しかし、アジャスタ５の内筒１５については、枠体２が片持ちで支柱６に支持されることから、枠体２および収容物の荷重を支える必要があることに加えて、枠体２を上下に移動させる際に円滑な移動が望まれることから、高い精度で成形することが望ましく、前記パーティングラインが精度を低下させてしまう。
【００５６】
このため、本実施の形態では、枠体２に密着する内筒１５の円筒部１５ａからパーティングラインをなくすために、図１７に示すように、金型を分割している。即ち、円筒部の部分の金型は環状に一体となった金型１７を用い、それ以外の部分には図中左右に分割した金型１８，１８を用いている。
【００５７】
このように金型１７，１８を分割することで、円筒部１５ａからパーティングラインをなくすことで精度を高めて、前述した枠体２の上下への移動を円滑に実現することができる。なお、パーティングラインをなくすために、内筒１５を分割した場合には、工程が増加することに加えて、その組み立て部分の強度が低下してしまう。
【００５８】
以上、本発明を、前記実施の形態に基づき具体的に説明したが、本発明は、前記実施の形態に限定されるものではなく、その要旨を逸脱しない範囲において種々変更可能であることは勿論である。
【００５９】
例えば、前述した実施の形態では、収容部１として樹脂製の袋を用いて説明したが、紙製或いは布製等の他の材料を用いた場合にも、同様に適用が可能である。また、廃棄物の収容以外にも、例えば洗濯物等の収容のような、他の用途に用いることも可能である。
【図面の簡単な説明】
【００６０】
【図１】本発明の一実施の形態である廃棄物収容容器を示す側面図である。
【図２】本発明の一実施の形態である廃棄物収容容器に用いられる枠体を示す平面図である。
【図３】本発明の一実施の形態である廃棄物収容容器に用いられる枠体の取り付け状態を拡大して示す部分側面図である。
【図４】可動式の係止部の係止を解いた状態を示す部分側面図である。
【図５】可動式の係止部の係止を解いた状態を示す部分拡大縦断面図である。
【図６】可動式の係止部の係止前の状態を示す部分拡大側面図である。
【図７】可動式の係止部の係止前の状態を示す部分拡大縦断面図である。
【図８】可動式の係止部の係止した状態を示す部分拡大側面図である。
【図９】可動式の係止部の係止した状態を示す部分拡大縦断面図である。
【図１０】係止状態の固定部と袋状の収容部との関係を示す部分拡大縦断面図である。
【図１１】本発明の一実施の形態の変形例となる可動式の係止部の係止前の状態を示す部分拡大縦断面図である。
【図１２】本発明の一実施の形態の変形例となる可動式の係止部の係止した状態を示す部分拡大縦断面図である。ある。
【図１３】本発明の一実施の形態の変形例となる可動式の係止部の係止した状態を示す部分拡大側面図である。
【図１４】本発明の一実施の形態である廃棄物収容容器に用いるアジャスタの内筒を示す断面図である。
【図１５】本発明の一実施の形態である廃棄物収容容器に用いる枠体を示す部分平面図である。
【図１６】本発明の一実施の形態である廃棄物収容容器に用いるアジャスタを枠体に取り付けた状態を示す部分側面図である。
【図１７】本発明の一実施の形態である廃棄物収容容器に用いるアジャスタの内筒の成形に用いられる金型を示す側面図である。
【符号の説明】
【００６１】
１…収容部、１ａ…環状端部、１ｂ…短冊状端部、２…枠体、２ａ…内壁、２ｂ…外壁、２ｃ…上辺、２ｄ…内環部、２ｅ…リブ、２ｆ…孔、２ｇ…溝、２ｈ…突起、３…固定式の係止部、４…可動式の係止部、５…アジャスタ、６…支柱、７…固定ピン、８…スライダ、８ａ…軸、９…ストッパ、９ａ…軸、９ｂ…段差、９ｃ…突起、１０…連結部、１１…底部枠体、１２…キャップ、１３…キャスタ、１４…前板、１５…内筒、１５ａ…円筒部、１５ｂ…爪、１５ｃ…オネジ、１５ｄ…分割筒部、１６…外筒、１６ａ…メネジ、１６ｂ…テーパ。
【図１】
2008001486.tif 000003
【図２】
2008001486.tif 000004
【図３】
2008001486.tif 000005
【図４】
2008001486.tif 000006
【図５】
2008001486.tif 000007
【図６】
2008001486.tif 000008
【図７】
2008001486.tif 000009
【図８】
2008001486.tif 000010
【図９】
2008001486.tif 000011
【図１０】
2008001486.tif 000012
【図１１】
2008001486.tif 000013
【図１２】
2008001486.tif 000014
【図１３】
2008001486.tif 000015
【図１４】
2008001486.tif 000016
【図１５】
2008001486.tif 000017
【図１６】
2008001486.tif 000018
【図１７】
2008001486.tif 000019